(57)【要約】      （修正有）【課題】収納性と運搬性に資すると共に、優れた安全性も併せ持つ組立式真菰膳を提供する。【解決手段】真菰により四角く編んだ棚材１０と、所要長さを有する二本の脚材１２と、脚材１２を抜差可能な中空路を有する一のパイプ材１４と、から成る真菰膳１であって、棚板１０における一方の対角線上に一本の脚材１２をその両端部が棚板１０から突き出た状態で固定すると共に、棚板１０における他方の対角線上に一のパイプ材１４を前記固定された脚材１２と十字に交差させた状態で固定して成り、該パイプ材１４の中空路にもう一本の脚材１２を差し込み貫通させることで、真菰膳１が完成する構成となっている。【選択図】図１
0003185022.tif 000002
【実用新案登録請求の範囲】
【請求項１】
真菰により四角く編んだ棚材と、所要長さを有する二本の脚材と、該脚材を抜差可能な中空路を有する一のパイプ材と、から成る真菰膳であって、
棚板における一方の対角線上に一本の脚材をその両端部が棚板から突き出た状態で固定すると共に、棚板における他方の対角線上に一のパイプ材を前記固定された脚材と十字に交差させた状態で固定して成り、
該パイプ材の中空路にもう一本の脚材を差し込み貫通させることで、真菰膳が完成することを特徴とする組立式真菰膳。
【請求項２】
真菰により四角く編んだ棚材と、所要長さを有する二本の脚材と、該脚材を抜差可能な中空路を有する二のパイプ材と、から成る真菰膳であって、
棚板における両対角線上に二のパイプ材を十字に交差させた状態で固定して成り、
該パイプ材の中空路に二本の脚材を夫々差し込み貫通させることで、真菰膳が完成することを特徴とする組立式真菰膳。
【考案の詳細な説明】
【技術分野】
【０００１】
本考案は、真菰膳に関し、詳しくは、盆時期に墓前や家の角口等に設置される組立式の真菰膳に関するものである。
【背景技術】
【０００２】
真菰膳は、十字に組んだ二本の青竹を四角く編んだ真菰の対角線上に固定した構成であって、地域によっては「ガラガラ膳」や「ノダナ」、「モコモコ」などとも呼ばれている。この真菰膳は、盆時期、特に迎え火を焚く時に使用されるものであって、使用時には四方に突き出た青竹を地面に突き刺して、真菰を膳に見立ててお供え物を載せたりするものである。
【０００３】
かかる真菰膳は、古来は各家で独自に作られていたが、材料の入手が困難であったり、作ることのできる人が高齢化している現状から、他の祭事用具同様、既に完成したものが販売され、それを購入して使用するようになっている。
【０００４】
しかしながら、現在流通している真菰膳は、上記した通り十字に組んだ二本の青竹を四角く編んだ真菰の対角線上に固定した構成であることから、収納スペースが嵩張ると共に持ち運びや取り扱いが不便であり、しかも青竹が四方に突き出した状態であるため、該青竹が人に当たったり突き刺さってしまう危険を伴うものであった。
【０００５】
【特許文献１】特開２００３−４７５４０号公報
【考案の開示】
【考案が解決しようとする課題】
【０００６】
そこで本考案は、上記問題点に鑑み、収納性と運搬性に資すると共に、安全性も併せ持つ組立式の真菰膳を提供することを課題とするものである。
【課題を解決するための手段】
【０００７】
上記課題を解決するため、本考案にかかる真菰膳は、真菰により四角く編んだ棚材と、所要長さを有する二本の脚材と、該脚材を抜差可能な中空路を有する一のパイプ材と、から成り、棚板における一方の対角線上に一本の脚材をその両端部が棚板から突き出た状態で固定すると共に、棚板における他方の対角線上に一のパイプ材を前記固定された脚材と十字に交差させた状態で固定して成り、該パイプ材の中空路にもう一本の脚材を差し込み貫通させることで、真菰膳が完成する構成となっている。
【０００８】
また、本考案にかかる真菰膳は、真菰により四角く編んだ棚材と、所要長さを有する二本の脚材と、該脚材を抜差可能な中空路を有する二のパイプ材と、から成り、棚板における両対角線上に二のパイプ材を十字に交差させた状態で固定して成り、該パイプ材の中空路に二本の脚材を夫々差し込み貫通させることで、真菰膳が完成する構成となっている。
【考案の効果】
【０００９】
本考案にかかる組立式真菰膳によれば、脚材が抜差可能であるため、収納スペースが嵩張ることなく収納性に資すると共に、持ち運びや取り扱いの利便性向上に資し、さらには、該脚材の端部が人に当たったり突き刺さってしまう危険がなく、安全性向上にも資するといった、従来にない優れた効果を奏するものである。
【図面の簡単な説明】
【００１０】
【図１】本考案にかかる組立式真菰膳の実施形態を示す説明図である。
【図２】本考案にかかる組立式真菰膳の実施形態を示す説明図である。
【図３】本考案にかかる組立式真菰膳の実施形態を示す説明図である。
【図４】本考案にかかる組立式真菰膳の使用形態を示す説明図である。
【考案を実施するための形態】
【００１１】
本考案は、真菰膳１における脚材１２について、パイプ材１４を介して抜差可能に構成したことを最大の特徴とする。以下、本考案にかかる組立式真菰膳１の実施形態を、図面に基づき説明する。
【００１２】
なお、本考案は、下記の実施形態に示した構成・態様に限定されるものではなく、本考案の技術的思想の要旨に逸脱しない範囲で、任意に変更することができるものである。
【実施例１】
【００１３】
図１乃至図３は、本考案にかかる組立式真菰膳１の実施形態であり、図１は収納状態を示し、図２は組立状態を示し、図３は完成状態を示している。
すなわち、本実施例にかかる組立式真菰膳１は、棚材１０と、二本の脚材１２と、一のパイプ材１４と、から構成されている。
【００１４】
棚板１０は、素材が真菰から成形されており、該真菰を四角く編むことで、略正方形に構成されている。
【００１５】
脚材１２は、所要長さを有する長尺物であって、一の真菰膳１につき二本の脚材１２を要する。該脚材１２の材質について、特に限定するものではなく、例えば従来と同様に青竹から成形されていたり、あるいは、プラスチック等の合成樹脂により成形されている。ただし、図４の使用状態に示すように、脚材１２は使用時に曲げられることから、ある程度の軟性を有する材質が選択される。
【００１６】
パイプ材１４は、前記脚材１２を抜差可能な中空路を有しており、前記棚板１０の対角線長さと略同一長さを有して成形されている。該パイプ材１４の材質については、特に限定はなく、例えば合成樹脂により成形されている。
【００１７】
以上の構成要素から、本実施例にかかる組立式真菰膳１は構成されている。すなわち、前記棚材１０には、その対角線上に一本の脚材１２が固定されており、その際、両端部１２ａが棚板１０の角部から突き出した状態で脚材１２が固定される。また、棚板１０における他方の対角線上には、前記パイプ材１４が固定されることで、前記固定された脚材１２とパイプ材１４とが十字に交差した状態となる。そして、棚板１０に固定されていないもう一本の脚材１２は、別体として添えられ、必要に応じてパイプ材１４に抜き差しされることとなる。
【００１８】
本実施例にかかる組立式真菰膳１を収納若しくは運搬する場合には、図１に示すように、パイプ材１４から脚材１２が抜かれた状態で、該脚材１２を棚板１０に固定された脚材１２に添えて、必要に応じて結束材Ｂにより両脚材１２を結束する。
【００１９】
本実施例にかかる組立式真菰膳１を組み立て・使用する場合には、図２に示すように、添えられている脚材１２をパイプ材１４の中空路へ差し込み貫通させることにより、図３に示すように、二本の脚材１２が棚板１０の略中央箇所にて十字に交差した状態となり、該組立式真菰膳１は完成する。
【００２０】
完成した組立式真菰膳１を使用する場合には、常法に従って両脚材１２を曲げることで図４に示す形態とし、その状態で脚材１２の端部１２ａを地面に突き刺すなどして使用されることとなる。
【実施例２】
【００２１】
本実施例にかかる組立式真菰膳１は、棚材１０と、二本の脚材１２と、二のパイプ材１４と、から構成されている。
【００２２】
各構成要素（棚板１０，脚材１２，パイプ材１４）の形態や素材については、前記第一の実施例と同様であるため、説明は省略する。
【００２３】
本実施例にかかる組立式真菰膳１の具体的構成について説明すると、前記棚材１０の両方の対角線上には、二のパイプ材１４が夫々固定されることで、両パイプ材１４が十字に交差した状態で固定されることとなる。そして、二本の脚材１２は、別体として添えられ、必要に応じて二のパイプ材１４に夫々抜き差しされることとなる。
【００２４】
本実施例にかかる組立式真菰膳１を収納若しくは運搬する場合には、二のパイプ材１４から夫々脚材１２が抜かれ、その二本の脚材１２を揃えた状態で棚板１０に添えられ、必要に応じて結束材Ｂにより両脚材１２を結束する。
【００２５】
本実施例にかかる組立式真菰膳１を組み立て・使用する場合には、二本の脚材１２を夫々各パイプ材１４の中空路へ差し込み貫通させることにより、図３に示すように、二本の脚材１２が棚板１０の略中央箇所にて十字に交差した状態となり、該組立式真菰膳１は完成する。
【００２６】
完成した組立式真菰膳１を使用する場合については、上記第一の実施例と同様であるため、説明は省略する。
【産業上の利用可能性】
【００２７】
本考案は、パイプ材１４を介して少なくとも一方の脚材１２を棚板１０から抜差可能に構成されていることで、不使用時の横幅を縮幅することが可能となって、収納性や運搬性に資すると共に、脚材１２の端部１２ａが人に当たったり突き刺さってしまう危険がなく、安全性向上にも資するものであり、したがって、本考案にかかる組立式真菰膳１の産業上の利用可能性は大である。
【符号の説明】
【００２８】
１    真菰膳（組立式真菰膳）
１０    棚板
１２    脚材
１２ａ  端部
１４    パイプ材
Ｂ    結束材
【図１】
0003185022.tif 000003
【図２】
0003185022.tif 000004
【図３】
0003185022.tif 000005
【図４】
0003185022.tif 000006